(57)【要約】【課題】トリマーを使用し板の角を丸く切削加工する場合ガイド板か中心を固定し回転する定規を使用するかであった。  ガイド板は加工する寸法の数のガイド板が必要で、中心を固定し回転する定規では一定数値より小さい寸法の加工が不可能だった。  本発明は、これひとつで多くの寸法に対応し、同一形状で円弧の切削加工が可能で、小さい円弧や凸部だけでなく凹部くり抜きも使える円定規を提供する。【解決手段】円盤にトリマーを乗せ中心から加工半径に合わせて移動し固定しこれを円盤外板にはめ合わせ、円盤外板の両側にある調整板上と円盤外板を移動して切削位置を合わせ、次に両側の調整板上下二枚で、一方を調整板上ともう片方は調整板下を同じ向きに移動して微調整ネジを使用し微調整を行い、またもうひとつの向きもそれぞれ上下逆の調整板を同じ向きに移動して微調整ネジを使用し微調整を行い、加工板を合わせ板凸に合わせて付け円盤を回し切削加工をする円定規。【選択図】図１
2016132253.tif 000002
【特許請求の範囲】
【請求項１】
トリマーを円盤の中心から加工半径に合わせて移動し固定してこれを円盤外板にはめ合わせ、円盤外板の両側にある調整板上と円盤外板を移動して切削位置を合わせ、両側の調整板上下二枚で、一方を調整板上ともう片方は調整板下を同じ向きに移動して微調整ネジを使用し微調整を行い、またもうひとつの向きもそれぞれ上下逆の調整板を同じ向きに移動して微調整ネジを使用し微調整を行い、加工板を合わせ板凸に合わせて付け円盤を回し切削加工をする円定規。
【発明の詳細な説明】
【技術分野】
【０００１】  この発明は、トリマーを使用し板の角を円形に切削加工する円定規に関するものである。
【背景技術】
【０００２】  ガイド板か、中心点を加工する板にネジ等で固定して使う定規を使用する。
【先行技術文献】
【特許文献】
【０００３】
【特許文献１】特開平７−２７６３１３号公報
【発明の概要】
【発明が解決しようとする課題】
【０００４】  ガイド板は加工する寸法の数のガイド板が必要で、中心点を加工する板にネジ等で固定して使う定規では一定数値より小さい寸法の加工が不可能だった。
本発明は、以上のような問題を解決する為に発明した。
【課題を解決するための手段】
【０００５】  円盤にトリマーを乗せ中心から加工半径に合わせて移動し固定しこれを円盤外板にはめ合わせ、円盤外板の両側にある調整板上と円盤外板を移動して切削位置を合わせ、次に両側の調整板上下二枚で、一方を調整板上ともう片方は調整板下を同じ向きに移動して微調整ネジを使用し微調整を行い、またもうひとつの向きもそれぞれ上下逆の調整板を同じ向きに移動して微調整ネジを使用し微調整を行い、加工板を合わせ板凸に合わせて付け円盤を回し切削加工をする。
以上の構成よりなる円定規。
【発明の効果】
【０００６】  この円定規ひとつで多くの寸法に対応し、同一形状で円弧の切削加工が可能で、小さい円弧や凸部だけでなく凹部くり抜きも使える。
【図面の簡単な説明】
【０００７】
【図１】本発明の斜視図
【図２】本発明の分解斜視図
【図３】本発明の部品１円盤の説明図
【図４】本発明の部品２円盤外板の説明図
【図５】本発明の部品３調整板上の説明図
【図６】本発明の部品４調整板下の説明図
【図７】本発明の部品５合わせ板凸の説明図
【図８】加工板
【発明を実施するための形態】
【０００８】  以下、本発明の実施の形態を説明する。
（イ）「トリマー（６）」の先端工具であるビットを、円盤の中心から加工半径分外側に      移動し「トリマー（６）」を「円盤（１）」に乗せる。
（ロ）ビットが「合わせ板凸（５）」の「ビット挿入開口部（６０）」に合うように「円      盤外板固定ネジＡ（２３）」と「円盤外板固定ネジＢ（２４）」を緩め「円盤外板      （２）」を移動し「調整板上（ａ）、調整板上（ｂ）」の加工半径位置に調整する      。
（ハ）「トリマー（６）」を乗せた「円盤（１）」を「円盤外板（２）」の「円盤（１）      はめ込み部分（２５）」にはめる。
（ニ）「加工板（７）」を「合わせ板凸（５）」に合わせ「加工板（７）」の「辺ＡＢ（      ７５）」と「辺ＢＣ（７６）」にビットの位置が合っているかを確認する。
（ホ）「辺ＢＣ（７６）」とビットの位置が狭く削り過ぎの時は、「調整板上（ａ）（３      １）」の「調整板上（ａ）固定ネジ（３５）」と「調整板下（ｂ）（４２）」の「      調整板下（ｂ）固定ネジ（５０）」を緩め、「調整板下（ａ）（４１）」の「調整      板上（ａ）微調整移動ネジ（４７）」を右に回して「調整板上（ａ）（３１）」を      押し出し、「円盤外板（２）」、「トリマー（６）」を乗せた「円盤（１）」、「      調整板上（ｂ）（３２）」、「調整板下（ｂ）（４２）」が同時に移動して、ビッ      トと「加工板（７）」の「辺ＢＣ（７６）」との間が広くなる。
（ヘ）「辺ＡＢ（７５）」とビットの位置が狭く削り過ぎの時は、「調整板上（ｂ）（３      ２）」の「調整板上（ｂ）固定ネジ（３６）」と「調整板下（ａ）（４１）」の「      調整板下（ａ）固定ネジ（４９）」を緩め、「調整板下（ｂ）（４２）」の「調整      板上（ｂ）微調整移動ネジ（４８）」を右に回して「調整板上（ｂ）（３２）」を      押し出し、「円盤外板（２）」、「トリマー（６）」を乗せた「円盤（１）」、「      調整板上（ａ）（３１）」、「調整板下（ａ）（４１）」が同時に移動して、ビッ      トと「加工板（７）」の「辺ＡＢ（７５）」との間が広くなる。
本発明は以上のような構造である。
本発明を使用する時は、「トリマー（６）」の先端工具であるビットを円盤の中心から加工半径分外側に移動し「トリマー（６）」を「円盤（１）」乗せる。
既定寸法で加工を行う時は、「既定寸法止め部品（１５）」を加工数値に合わせて固定しトリマーベースを「既定寸法止め部品（１５）」につけて合わせ「トリマー（６）」を固定する。
任意の数値では、「トリマー（６）」の中心を「円盤（１）」の中心から加工半径とビットの半径を合わせた値を外側に移動し固定する。
この「円盤（１）」に乗せた「トリマー（６）」の位置で加工半径が決まる。
次は「円盤外板（２）」の位置あわせで、ビットが「合わせ板凸（５）」の「ビット挿入開口部（６０）」に合うように「円盤外板固定ネジＡ（２３）」と「円盤外板固定ネジＢ（２４）」を緩め「円盤外板（２）」を移動し「調整板上（ａ）、調整板上（ｂ）」の加工半径位置に調整する。
この時「円盤外板（２）」を「調整板上（ａ）、調整板上（ｂ）」の「ガイド金具Ｈ（３９）」側に移動すると切削位置から離れ切削量が少なくなる。
反対に「円盤外板（２）」を「調整板上（ａ）、調整板上（ｂ）」の「ガイド金具Ｇ（３０）」側に移動すると切削位置に近づき切削量が多くなる。
次に「トリマー（６）」を乗せた「円盤（１）」を「円盤外板（２）」の「円盤（１）はめ込み部分（２５）」にはめて、「加工板（７）」を「合わせ板凸（５）」に合わせ「加工板（７）」の「辺ＡＢ（７５）」と「辺ＢＣ（７６）」にビットの位置が合っているかを確認する。
微調整が必要な時は次に説明する方法で調整する。
「辺ＢＣ（７６）」とビットの位置が狭く削り過ぎの時は、「調整板上（ａ）（３１）」の「調整板上（ａ）固定ネジ（３５）」と「調整板下（ｂ）（４２）」の「調整板下（ｂ）固定ネジ（５０）」を緩め「調整板下（ａ）（４１）」の「調整板上（ａ）微調整移動ネジ（４７）」を右に回して「調整板上（ａ）（３１）」を押し出し、「円盤外板（２）」、「トリマー（６）」を乗せた「円盤（１）」、「調整板上（ｂ）（３２）」、「調整板下（ｂ）（４２）」が同時に移動して、ビットと「加工板（７）」の「辺ＢＣ（７６）」との間が広くなる。
「辺ＡＢ（７５）」とビットの位置が狭く削り過ぎの時は、「調整板上（ｂ）（３２）」の「調整板上（ｂ）固定ネジ（３６）」と「調整板下（ａ）（４１）」の「調整板下（ａ）固定ネジ（４９）」を緩め「調整板下（ｂ）（４２）」の「調整板上（ｂ）微調整移動ネジ（４８）」を右に回して「調整板上（ｂ）（３２）」を押し出し、「円盤外板（２）」、「トリマー（６）」を乗せた「円盤（１）」、「調整板上（ａ）（３１）」、「調整板下（ａ）（４１）」が同時に移動して、ビットと「加工板（７）」の「辺ＡＢ（７５）」との間が広くなる。
「合わせ板凸（５）の「当て板（５９）」は、大きな加工板で垂直に立てて加工する時、また、小さな板を加工する時に円定規を上下反対にして使う場合等に使用する。
【符号の説明】
【０００９】１  円盤、  ２  円盤外板、  ５  合わせ板凸、  ６  トリマー、  ７  加工板、
１１  ビット穴加工半径小、            １２  ビット穴加工半径大、
１３  トリマー固定ネジ穴、            １４  トリマーベース外枠、
１５  既定寸法止め部品、              １６  既定寸法止め部品固定ネジ穴、
２１  調整板上（ａ）組み合わせネジ穴、２２  調整板上（ｂ）組み合わせネジ穴、
２３  円盤外板固定ネジＡ、            ２４  円盤外板固定ネジＢ、
２５  円盤（１）はめ込み部分、        ２６  ガイド溝、
３０  ガイド金具Ｇ、
３１  調整板上（ａ）、                ３２  調整板上（ｂ）、
３３  円盤外板固定ネジＡネジ穴、      ３４  円盤外板固定ネジＢネジ穴、
３５  調整板上（ａ）固定ネジ、        ３６  調整板上（ｂ）固定ネジ、
３７  調整板上（ａ）固定ネジ用ネジ穴、３８  調整板上（ｂ）固定ネジ用ネジ穴、
３９  ガイド金具Ｈ
４１  調整板下（ａ）、                ４２  調整板下（ｂ）、
４３  調整板上（ａ）（３１）移動支持部品、
４４  調整板上（ｂ）（３２）移動支持部品、
４５  調整板上（ａ）固定ネジ穴、      ４６  調整板上（ｂ）固定ネジ穴、
４７  調整板上（ａ）微調整移動ネジ、  ４８  調整板上（ｂ）微調整移動ネジ、
４９  調整板下（ａ）固定ネジ、        ５０  調整板下（ｂ）固定ネジ、
５１  調整板下（ａ）固定ネジ用ネジ穴、５２  調整板下（ｂ）固定ネジ用ネジ穴、
５５  調整板下（ａ）（４１）移動支持部品、
５６  調整板下（ｂ）（４２）移動支持部品、
５７  調整板下（ａ）固定ネジ穴、      ５８  調整板下（ｂ）固定ネジ穴、
５９  当て板、                        ６０  ビット挿入開口部、
６１  トリマー固定ネジ、
７１  点Ａ、    ７２  点Ｂ、    ７３  点Ｃ、    ７４  点Ｄ、
７５  辺ＡＢ、  ７６  辺ＢＣ
【図１】
2016132253.tif 000003
【図２】
2016132253.tif 000004
【図３】
2016132253.tif 000005
【図４】
2016132253.tif 000006
【図５】
2016132253.tif 000007
【図６】
2016132253.tif 000008
【図７】
2016132253.tif 000009
【図８】
2016132253.tif 000010